【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
外部装置と通信を行う通信手段と、
ユーザからの指示を受け付ける受け付け手段と、
第一の外部装置と、前記第一の外部装置に対して所定のプロトコルに基づくアドバタイズを発信することに応じて前記第一の外部装置との通信を開始する第二の外部装置と、のうち、選択的に決定されるいずれかと、前記所定のプロトコルを用いた無線で通信するよう前記通信手段を制御する制御手段と、
を有し、
前記受け付け手段がユーザから前記第一の外部装置に接続するための指示を受け付けた場合、前記制御手段は、
前記第二の外部装置と前記通信手段を介して接続し、前記第二の外部装置からのアドバタイズの発信を停止するよう前記第二の外部装置に指示してから前記第二の外部装置との接続を切断する第一の処理と、
前記通信手段を介して前記第一の外部装置と接続するための前記所定のプロトコルに基づくアドバタイズの発信を開始するよう前記通信手段を制御する第二の処理と、
を行うことを特徴とする通信装置。
【請求項２】
前記受け付け手段がユーザから、前記第一の外部装置に接続するための指示を受け付けた場合、前記制御手段は、前記第一の外部装置と接続する前に、前記第一の処理を実行し、その後、前記第二の処理を実行することを特徴とする請求項１に記載の通信装置。
【請求項３】
前記受け付け手段がユーザから、前記第一の外部装置に接続して所定のデータを前記第一の外部装置に送信するための指示を受け付けた場合、前記制御手段は、前記第一の外部装置と接続する前に、前記第一の処理を実行し、その後、前記第二の処理を実行することを特徴とする請求項１または２に記載の通信装置。
【請求項４】
前記制御手段は、前記第一の処理で前記第二の外部装置との接続を試みて一定時間経過しても前記第二の外部装置と接続できなかった場合、前記第二の処理を実行することを特徴とする請求項１乃至３のいずれか１項に記載の通信装置。
【請求項５】
前記第二の外部装置と前記通信手段を介して接続する場合、前記第二の外部装置が発信するアドバタイズを受信するモードになることを特徴とする請求項１乃至４のいずれか１項に記載の通信装置。
【請求項６】
前記第二の外部装置と前記通信手段を介して接続する場合、前記第二の外部装置が発信するアドバタイズを受信することに応じて、前記第二の外部装置に接続を要求することで前記第二の外部装置と前記通信手段を介して接続することを特徴とする請求項１乃至５のいずれか１項に記載の通信装置。
【請求項７】
さらに第三の通信手段を有し、
前記制御手段は、前記第三の通信手段を介してインターネット越しにサーバにアクセスし、前記第一の外部装置のファームウェアをダウンロードすることを特徴とする請求項１乃至６のいずれか１項に記載の通信装置。
【請求項８】
前記第二の外部装置と前記通信手段を介して接続する場合、前記第二の外部装置が発信するアドバタイズを受信することに応じて、前記第二の外部装置に接続を要求することで前記第二の外部装置と前記通信手段を介して接続し、
前記要求には、前記第一の外部装置のファームウェアを更新するための処理に関する情報が含まれることを特徴とする請求項１乃至７のいずれか１項に記載の通信装置。
【請求項９】
通信装置が実行する通信方法であって、
外部装置との通信を行う通信ステップと、
ユーザからの指示を受け付ける受け付けステップと、
第一の外部装置と、前記第一の外部装置に対して所定のプロトコルに基づくアドバタイズを発信することに応じて前記第一の外部装置との通信を開始する第二の外部装置と、のうち、選択的に決定されるいずれかと、前記所定のプロトコルを用いた無線で通信するよう前記通信ステップによる通信を制御する制御ステップと、
を有し、
前記受け付けステップにてユーザから前記第一の外部装置に接続するための指示を受け付けた場合、前記制御ステップでは、
前記第二の外部装置と前記通信ステップを介して接続し、前記第二の外部装置からのアドバタイズの発信を停止するよう前記第二の外部装置に指示してから前記第二の外部装置との接続を切断する第一の処理ステップと、
前記通信ステップを介して前記第一の外部装置と接続するための前記所定のプロトコルに基づくアドバタイズの発信を開始するよう前記通信ステップによる通信を制御する第二の処理ステップと、
を行うことを特徴とする通信方法。
【請求項１０】
前記受け付けステップにおいてユーザから、前記第一の外部装置に接続するための指示を受け付けた場合、前記制御ステップでは、前記第一の外部装置と接続する前に、前記第一の処理ステップを実行し、その後、前記第二の処理ステップを実行することを特徴とする請求項９に記載の通信方法。
【請求項１１】
前記受け付けステップにおいてユーザから、前記第一の外部装置に接続して所定のデータを前記第一の外部装置に送信するための指示を受け付けた場合、前記制御ステップでは、前記第一の外部装置と接続する前に、前記第一の処理ステップを実行し、その後、前記第二の処理ステップを実行することを特徴とする請求項９または１０に記載の通信方法。
【請求項１２】
前記制御ステップにおいて、前記第二の外部装置との接続を試みて一定時間経過しても前記第二の外部装置と接続できなかった場合、前記第二の処理ステップを実行することを特徴とする請求項９乃至１１のいずれか１項に記載の通信方法。
【請求項１３】
前記第二の外部装置と前記通信ステップを介して接続する場合、前記第二の外部装置が発信するアドバタイズを受信するモードになることを特徴とする請求項９乃至１２のいずれか１項に記載の通信方法。
【請求項１４】
前記第二の外部装置と前記通信ステップを介して接続する場合、前記第二の外部装置が発信するアドバタイズを受信することに応じて、前記第二の外部装置に接続を要求することで前記第二の外部装置と前記通信ステップを介して接続することを特徴とする請求項９乃至１３のいずれか１項に記載の通信方法。
【請求項１５】
さらに第三の通信ステップを有し、
前記制御ステップでは、前記第三の通信ステップを介してインターネット越しにサーバにアクセスし、前記第一の外部装置のファームウェアをダウンロードすることを特徴とする請求項９乃至１４のいずれか１項に記載の通信方法。
【請求項１６】
前記第二の外部装置と前記通信ステップを介して接続する場合、前記第二の外部装置が発信するアドバタイズを受信することに応じて、前記第二の外部装置に接続を要求することで前記第二の外部装置と前記通信ステップを介して接続し、
前記要求には、前記第一の外部装置のファームウェアを更新するための処理に関する情報が含まれることを特徴とする請求項９乃至１５のいずれか１項に記載の通信方法。
【請求項１７】
コンピュータを、請求項１乃至８のいずれか１項に記載の通信装置の各手段として機能させるためのプログラム。
【手続補正２】
【補正対象書類名】明細書
【補正対象項目名】０００８
【補正方法】変更
【補正の内容】
【０００８】
本発明の通信装置は、外部装置と通信を行う通信手段と、ユーザからの指示を受け付ける受け付け手段と、第一の外部装置と、前記第一の外部装置に対して所定のプロトコルに基づくアドバタイズを発信することに応じて前記第一の外部装置との通信を開始する第二の外部装置と、のうち、選択的に決定されるいずれかと、前記所定のプロトコルを用いた無線で通信するよう前記通信手段を制御する制御手段と、を有し、前記受け付け手段がユーザから前記第一の外部装置に接続するための指示を受け付けた場合、前記制御手段は、前記第二の外部装置と前記通信手段を介して接続し、前記第二の外部装置からのアドバタイズの発信を停止するよう前記第二の外部装置に指示してから前記第二の外部装置との接続を切断する第一の処理と、前記通信手段を介して前記第一の外部装置と接続するための前記所定のプロトコルに基づくアドバタイズの発信を開始するよう前記通信手段を制御する第二の処理と、を行うことを特徴とする。